(57)【要約】【課題】カード類の着脱を可能とし、携帯電話の電波に影響されないカード類の使用を可能とする携帯電話機用背面カバーを提供する。【解決手段】裏面が携帯電話機の背面を覆うよう装着され、表面にカード類を収納可能な矩形状スペースを設けた第１プレートと、矩形状スペースに、第１プレートとカード類との間に装着される電波吸収体と第１プレートに対向するよう係合する第２プレートと、矩形状スペースの長辺又は短辺に沿って、第１プレートに設けられた一対の溝部と、一対の溝部に対向する位置で第２プレートに設けられた一対の突起部と、を備え、一対の溝部と一対の突起部とを係合させて密閉し、電波吸収体は、カード類と同一又はカード類よりも大きい面積を有する薄膜状の磁性体であって、カード類に記録された情報の読取りのために磁界が印加されたとき、携帯端末から発生する渦電流による反磁界を抑制する。【選択図】      図１
2015106754.tif 000002
【特許請求の範囲】
【請求項１】
裏面が携帯電話機の背面を覆うよう装着され、表面にカード類を収納可能な矩形状スペースを設けた第１プレートと、
前記矩形状スペースに、第１プレートと前記カード類との間に装着される電波吸収体と、
前記第１プレートに対向するよう係合する第２プレートと、
前記矩形状スペースの長辺又は短辺に沿って、前記第１プレートに設けられた一対の溝部と、
前記一対の溝部に対向する位置で前記第２プレートに設けられた一対の突起部と、を備え、
前記一対の溝部と前記一対の突起部とを係合させて密閉し、前記第２プレートを前記第１プレートに対して密閉位置から前記長辺又は短辺に沿って所定長だけスライドさせることにより前記カード類の着脱を可能とし、
前記電波吸収体は、前記カード類と同一又は前記カード類よりも大きい面積を有する薄膜状の磁性体であって、前記カード類に記録された情報の読取りのために磁界が印加されたとき、携帯端末から発生する渦電流による反磁界を抑制できることを特徴とする携帯電話機用背面カバー。
【請求項２】
請求項１に記載の携帯電話機用背面カバーにおいて、
前記第一対の溝部と前記一対の突起部とは前記密閉位置及び前記所定長だけスライドした位置でロックされることを特徴とする携帯電話機用背面カバー。
【発明の詳細な説明】
【技術分野】
【０００１】
本発明は、内部に携帯電話とカード類をともに収納可能な携帯電話機用背面カバーに関する。より具体的には、内部に例えば非接触ＩＣカードを収納することで、携帯電話の多機能化を図り、また当該カードを容易に着脱することができる携帯電話機用背面カバーに関する。
【背景技術】
【０００２】
近年、スマートフォン、タブレット端末に代表される携帯情報端末は、従来の携帯電話、パーソナルコンピュータを置き換えるまでに急速普及し、その機能は多様化している。例えば、スマートフォン等の携帯電話自体に非接触ＩＣカードの機能を搭載し、機器本体を駅改札機にかざすことで容易に改札を通り抜けられる携帯電話も販売されている。これらは、いわゆる電子マネーと呼ばれる機能であり、乗車券や定期券、その他電子決済としての機能を持つＩＣカード、プリペイドカードなど様々な用途で用いられている。
【０００３】
しかし、あらゆる携帯電話の全てが非接触ＩＣカードの機能を搭載しているとは限らない。そこで、非接触ＩＣカード機能を搭載しない携帯電話であっても、その機能を搭載しているように使用できる、携帯電話機用背面カバーのニーズが存在する。より具体的には、カバーに携帯電話と非接触ＩＣカードの両方を収納し、当該カバーに装着された携帯電話本体を駅改札機にかざすだけで、乗車運賃の決済を可能とし、改札を通り抜けられるようにする携帯電話機用背面カバーのニーズが存在する。
【０００４】
従来の携帯電話機用背面カバーには、携帯電話を落下させても外面を衝撃から保護することを目的としたもの、滑りにくく把持しやすい素材で製造することにより落下の防止を目的としたもの、外観の装飾を目的としたものがある。また片手で操作しやすいように持ち手部分を備えるもの、携帯電話全体を覆い、手帳のように使用できる見開き形状のものなど、種々のものがある。その中で、カード類をともに収納できる携帯電話機用背面カバーも多種販売されている。
【０００５】
しかし、従来のカード類をともに収納できる携帯電話機用背面カバーは、実用面においては、重量や厚みがあり、持ち運びに不便である点、かばんに入れた際に大きなスペースを占める点で問題があった。
機能面においては、スライド式によりカード類を出し入れ可能なタイプのカバーは、そのスライドを滑らかに行えず、カードの出し入れが容易にできない点で問題があった。また、携帯電話とカバーの間にカード類を重畳するタイプのカバーは、カード類を抜き出して使用する際（例えば交通機関に使用する非接触ＩＣカードに金銭をチャージする場合や、カード類を交換する場合など）にカバーを分解して、全体を取り外す必要があり、カード類本体を使用する際に不便である点で、問題があった。さらに、カバーと携帯電話本体を一体感があるように見せ、外傷にも強いタイプのカバーは、カバーを取り外す際に、しっかりと嵌合されているため携帯電話本体に傷がつくという問題があった。
コスト面においては、従来のカバーは高価な革製のものや、外面保護だけでなく装飾効果など他の機能も持ち合わせるものなど、一製品あたりの制作費が高価となり問題があった。
【０００６】
図５は、従来のカード類を収納できる携帯電話機用背面カバー２００の内部構造を表した立体構造図である。図５における携帯電話機用背面カバー２００は、カード類８０を携帯電話３００とカバー２００との間に重畳するタイプのカバーを示している。重畳するタイプのものは、カード類８０の落下による紛失の危険性は低いが、カード類８０を抜き出して使用する際にはカバー２００を全て取り外さなければならず不便であるという問題、また取り外す際に携帯電話本体３００を傷つけるという問題があった。また、携帯電話の電波がカード類８０の通信読取りを阻害し、読取りエラーを防ぐための電波遮断用のシート７２を内蔵する構成としているが、カバー２００に装着されておらずカード類を抜き出す際に落下の可能性もあり、取扱いに不便であるという問題があった。
【０００７】
図６は、図５とは異なるタイプであって、従来のカード類を収納できる携帯電話機用背面カバー２１０の内部構造を表した立体構造図である。図６に示すカバー２１０は、カード類８０を収納可能なよう、ポケット部分２１２を備えるタイプのカバーを示している。このタイプは、ポケット部分２１２の開口部が小さい場合には、カード類８０の着脱がスムーズに行えず、逆に開口部が広く大きい場合にはカード類８０の落下の可能性があるという問題があった。また、外側から見てカード８０の一部分がはみ出し、機能性だけでなく外観の装飾性の観点からも問題があった。
【０００８】
図７は、図５および図６とは異なるタイプであって、従来のカード類を収納できる携帯電話機用背面カバー２２０の内部構造を表した立体構造図である。カバー２２０が二つのプレートで構成され、その二つのプレートの間にカード類８０を収納でき、かつ二つのプレートのうち上面となる部分２２２がスライドして出し入れ可能なカバーを示している。従来のこのようなカバーはカード類を収納するためのスペースを十分設けるために、厚みがあるものであり、装着すると重量があり本来の携帯電話のみの持ち運びよりも不便であるという問題があった。また、装着すると本来の携帯電話よりも外観が大きい印象となり、装飾性からも問題があった。
【０００９】
そこで、本発明は前述の実用面、機能面、コスト面の全ての問題を解消すべく、軽量で薄く、カード類を容易に出し入れすることができ、カード類の使用の際に電波の障害なく使用でき、比較的低コストで製造できる携帯電話機用背面カバーを提供するものである。
【先行技術文献】
【特許文献】
【００１０】
【特許文献１】特開２０１２−１００２２７号公報
【特許文献２】特開２００９−１８２６２１号公報
【発明の概要】
【発明が解決しようとする課題】
【００１１】
特許文献１に記載の携帯電話機用カバーは、携帯電話機に電子キーの機能を持たせ利便性を向上させることができるカバーを開示している。当該カバーは取り外しが可能であり、携帯電話機を新たなものに買い替えても使用できる、汎用性のあるものである。
【００１２】
しかしながら、特許文献１に記載の携帯電話機用カバーは、キーやその他のものを収納するためのスペースを設けるため厚みがあり、キーを収納している部分とその他のカバーの部分とを分離して（分割体として）着脱する方法であるため、キーを単独で使用する場合には着脱に不便である点で問題があった。また電子キーを収納するという特性上、電子キーの機能部品が組み込まれたモジュール部等は複雑な構成となり、製造コスト、製造時間、重さ、厚みの点から問題があった。
【００１３】
特許文献２に記載の発明は、携帯端末の操作性を向上させる携帯端末の収納ケースを開示している。当該カバーは、通信端末としての機能の他に、社員証として身分証明に使用される携帯端末の機能を有するように、携帯端末を多機能化する収納ケースを示している。この発明によると、携帯端末と社員証を一体として収納しうる点において有用である。
【００１４】
このような、携帯端末を多機能化させる点では有用な収納ケースであるが、スライド式にカード類を収納する方法であっても、カバー本体をスライドさせる機能を有するわけでないため、携帯端末や社員証などのカード類を容易に着脱することができず問題があった。
【００１５】
そこで本発明の目的は、軽量で薄く、カード類を容易に着脱することができ、比較的低コストで製造できる携帯電話機用背面カバーを提供することにある。
【００１６】
また、本発明の別の目的は、携帯電話等の携帯端末とカード類とを一体として収納し、携帯電話本体からの電波の障害なく非接触ＩＣカードを使用することができる携帯電話機用背面カバーを提供することにある。
【課題を解決するための手段】
【００１７】
前述の目的を達成するために本発明は、裏面が携帯電話機の背面を覆うよう装着され、表面にカード類を収納可能な矩形状スペースを設けた第１プレートと、前記矩形状スペースに、第１プレートと前記カード類との間に装着される電波吸収体と、前記第１プレートに対向するよう係合する第２プレートと、前記矩形状スペースの長辺又は短辺に沿って、前記第１プレートに設けられた一対の溝部と、前記一対の溝部に対向する位置で前記第２プレートに設けられた一対の突起部と、を備え、前記一対の溝部と前記一対の突起部とを係合させて密閉し、前記第２プレートを前記第１プレートに対して密閉位置から前記長辺又は短辺に沿って所定長だけスライドさせることにより前記カード類の着脱を可能とし、前記電波吸収体は、前記カード類と同一又は前記カード類よりも大きい面積を有する薄膜状の磁性体であって、前記カード類に記録された情報の読取りのために磁界が印加されたとき、携帯端末から発生する渦電流による反磁界を抑制できることを特徴とする。
【００１８】
また本発明は、上述の携帯電話機用背面カバーにおいて、  前記第一対の溝部と前記一対の突起部とは前記密閉位置及び前記所定長だけスライドした位置でロックされることを特徴とする。
【発明の効果】
【００１９】
本発明によれば、カード類と携帯電話等の携帯端末を比較的薄いカバーに一体として収納できるため、携帯電話の外観の印象を損うことなく、美しく洗練された印象を与え、かつスライドさせて簡単に使用できるため利便性にも優れた携帯電話機用背面カバーを製造することができる。
【００２０】
また、本発明によれば、比較的手に入りやすい素材、部品により製造することができ、複雑な工程を有しないため多量に短期間で製造できる点で有利である。そして、コスト面においても高価な素材を必要としないため有利である。
【００２１】
さらに、カード類よりも面積の大きい磁性体を重畳させることにより、携帯電話からの電波を遮断し、確実に非接触ＩＣカードとしての機能を発揮できるようにすることで、携帯電話本体そのものにＩＣカードの機能を搭載することなく、一体的に使用することができる点で有利である。
【図面の簡単な説明】
【００２２】
【図１】本発明の携帯電話機用背面カバーを構成する各部品を背面から示す分解図。
【図２】本発明の携帯電話機用背面カバーを背面から示す組立図。
【図３】本発明の携帯電話機用背面カバーの図２のＡの位置における断面図。
【図４】本発明の携帯電話機用背面カバーを携帯電話に装着した状態を示す立体構造図。
【図５】従来のカード類を差し込むタイプの携帯電話機用背面カバーの構造を示す分解図。
【図６】従来のカード類を重畳するタイプの携帯電話機用背面カバーの構造を示す分解図。
【図７】従来の携帯電話機用背面カバーであって、カード類をスライド形式でカード類を着脱可能とすることを示す分解図。
【発明を実施するための形態】
【００２３】
〔第１の実施形態〕
以下、本発明の携帯電話機用背面カバーの実施形態について図面を参照して説明する。
第１の実施形態は、携帯電話を正面から見た際に、携帯電話機用背面カバーが左右にスライドする構成を有し、携帯電話を背面から見た際に、背面、側面、上面、底面を覆うように嵌合して装着されるものである。
【００２４】
図４は、本発明の携帯電話機用背面カバー１００を携帯電話に装着した状態を示す立体構造図である。左右にスライドして使用するものであり、非接触ＩＣカード等のカード類をスライドさせて着脱可能にさせる状態を示している。このタイプのカバーは、携帯電話の側面および底面を包み込むものであるため、カード類を収納できる機能と合わせて携帯電話の側面（縁）のよごれや落下による損傷を防ぐことができる。図４における第１プレートに該当するプレート２０が携帯電話にすきまなくぴったりと嵌合させ装着する形状を持つ構成となっている。
【００２５】
図１は、本発明の携帯電話機用背面カバーを分解した場合の、本発明の携帯電話機用背面カバーを構成する各部品を背面から示す分解図である。
図１に示すように、本発明の携帯電話機用背面カバー１００は第１プレート２０、第２プレート３０、および第１プレート２０に取り付けられた一対の溝部５０、第２プレート３０に取り付けられた一対の突起部６０で構成される。本発明の携帯電話機用背面カバーにおいて、第１プレート２０および第２プレート３０は透明もしくは半透明の合成樹脂（ポリカーボネート、ＡＢＳ等）又はガラス材、又は弾性部材等からなる。したがって、重量は軽く、コストも安価に製造することができる。
【００２６】
第１プレートは携帯電話に嵌合され、直接接するプレートであり、第１プレート２０には矩形状スペース７０に磁性体で構成される電波吸収体７２が装着される。薄膜状の磁性体で構成される電波吸収体は、カード類の大きさと同一又はカード類よりも大きい面積を有し、カード類の使用時に情報の読取りのため磁界が印加されても、携帯端末から発生する渦電流による反磁界を抑制できることから、携帯電話本体から放出される電波による影響を受けることなく、カード類を使用することができる。
【００２７】
第２プレート３０は第１プレート２０から順に、第１プレート２０と、第１プレート２０に装着された電波吸収体７２と、その上面に挿入されたカード類とを覆うようにスライド方式により、重畳させる構成となっている。第１プレート２０のカード類が挿入される部分は、カード類の厚さや大きさに合わせて、カード類が収納できるよう矩形状のスペースの面積、深さを適宜変更できる。
【００２８】
第１プレートに設けられた溝部５０は、凹み部分５０ａと貫通する部分５０ｂとで構成される。この溝部５０には第２プレート３０に設けられた突起部６０が係合される。第２プレート３０に設けられた突起部６０は、５０ａに係合される突起部分６０ａと、６０ａよりも突出し、５０ｂに第１プレート２０を貫通するように係合される６０ｂとで構成される。
また、本発明のカバーを左右にスライドして使用する際に突起部６０が、第２プレート３０を所定長だけスライドした位置でロックされるよう、三角形状の引き止め部５２および、引き止め形状６２が設けられている。
【００２９】
図２は、本発明の携帯電話機用背面カバーを背面から示す組立図である。
第１プレート２０と第２プレート３０の両方において、携帯電話に通常搭載されているカメラ機能を発揮できるようにするため、そのカメラの大きさに合わせて楕円形状又は角丸三角形状の空洞４０が設けられ、携帯電話のカメラ部分が外部に露出する構成となっている。図２において、第１プレートに設けられる空洞４０ａは、背面から見て第２プレートに設けられる空洞４０ｂに接触する面に向けてより大きく開口するよう、傾斜が設けられている。これは、携帯電話のカメラ機能を使用する際に、その機能の妨げを防止するために設けられている。
【００３０】
第１プレート２０と第２プレート３０の色、素材、大きさは、装着される携帯電話に合わせて一体的に見えるよう任意に選択される。特に、カバーの色彩を携帯電話本体の色彩と同様にすることで、目の錯覚を利用して、より一体的に見えるよう構成されている。また、第２プレート３０の縁に設けられる角丸形状の傾斜により、本実施形態におけるカバーは、携帯電話本体とさらに一体的に見えるよう構成され、また、カード類を収納していることを外部からは認識できないほど薄い、平坦形状である。
【００３１】
図３は、本発明の携帯電話機用背面カバーの図２のＡの位置における断面図である。
第１プレート２０は携帯電話に固定され、第２プレート３０を左右にスライドさせることで、カード類の着脱を可能としている。第１プレートの矩形状スペース７０において、カード類を挿入する際に接する一端（縁）は、カード類が着脱しやすいよう、０．３Ｒ程度の傾斜７４が設けられている。また、この傾斜により、カード類（標準規格０．２ｍｍ）が傷つくことなく、容易に着脱可能としている。
【００３２】
第１プレートは厚さ０．２ｍｍ程度、第２プレートは厚さ０．０５〜０．１ｍｍ程度であり、また各プレートを携帯電話等と同色にすることで、目の錯覚により、カバーを装着した状態でも、カード類が中に収納されていることが認識できないほどの、一体感を感じさせることができる。つまり、本発明の携帯電話機用背面カバーは従来の同様の製品と比べた圧倒的な薄さと目の錯覚を利用することで、携帯電話本体に装着したカバーの外観がまるで、カバーを装着していないような印象を与えるものである。
【００３３】
カバー内に収納するカード類は非接触ＩＣカード、クレジットカード、磁気カード、社員証、セキュリティーカード、名刺その他本発明のカバーに挿入しうる大きさのものであれば多様に考えられる。いずれのカードであっても、本発明の携帯電話機用背面カバーであれば、矩形状スペース７０に設けられた傾斜により着脱容易のため利便性が高い。また、非接触ＩＣカードとして利用する場合、電波の障害なく情報の読取りを可能とするために収納するカード類の枚数は１枚であることが好ましい。携帯電話本体との一体性を重視する場合には、矩形状スペース７０の溝の深さはカード類を１枚収納できる程度に薄くすることが好ましい。
【００３４】
本発明のカバーを携帯電話に装着し、その中に電車等の交通機関の改札で使用できる電子カード（非接触ＩＣカード）を利用する者は、例えば電車内で携帯電話を操作し、その後携帯電話を手に持ったまま、その携帯電話に装着されたカバーをかざすだけで改札を通ることができる使用方法が考えられる。
また、着脱の容易さから、電子カードに金銭をチャージする際にも、容易に着脱、チャージすることができ、利便性が高い。
【００３５】
〔第２の実施形態〕
第２の実施形態として、携帯電話本体に嵌合させるタイプのカバーではなく、携帯電話本体に貼着させるタイプであって、携帯電話本体の側面、上面、底面を覆うことなく平板状のカバーとすることもできる。本実施例では、装着された状態において、カバーと携帯電話とが隙間なく密着して装着されているため、カバーが浮き出た印象はなく一体性が感じられる。このタイプのカバーは第１の実施形態と比べ、携帯電話の側面、上面、底面を覆わないため、携帯電話本体とカバーとをより一体的に印象付けることができる。
【００３６】
〔第３の実施形態〕
第３の実施形態として、第１の実施形態である図３の左右にスライドさせてカード類を着脱する方法に対し、溝部５０と突起部６０を矩形状スペース７０の長辺に対して並行となるように設け、第２プレートを上下にスライドさせてカード類を収納する構成を備えるカバーとすることもできる。利用者の要望によって上下にスライドさせる方法が望まれる場合や、携帯電話本体の形状に合わせて、溝部５０と突起部６０は適宜調整されうる。
【符号の説明】
【００３７】
２０・・・第１プレート
３０・・・第２プレート
４０・・・カメラ機能用の空洞
５０・・・溝部
６０・・・突起部
７０・・・矩形状スペース
７２・・・電波吸収体
７４・・・傾斜
８０・・・カード類
１００・・・携帯電話機用背面カバー
２００・・・従来の携帯電話機用背面カバー
２１０・・・従来の携帯電話機用背面カバー
２２０・・・従来の携帯電話機用背面カバー
３００・・・携帯電話本体
【図１】
2015106754.tif 000003
【図２】
2015106754.tif 000004
【図３】
2015106754.tif 000005
【図４】
2015106754.tif 000006
【図５】
2015106754.tif 000007
【図６】
2015106754.tif 000008
【図７】
2015106754.tif 000009
【手続補正書】
【提出日】平成26年9月30日(2014.9.30)
【手続補正１】
【補正対象書類名】特許請求の範囲
【補正対象項目名】全文
【補正方法】変更
【補正の内容】
【特許請求の範囲】
【請求項１】
裏面が携帯電話機の背面を覆うよう装着され、表面にカード類を収納可能な矩形状スペースを設けた第１プレートと、
前記矩形状スペースに、第１プレートと前記カード類との間に装着される電波吸収体と、
前記第１プレートに対向するよう係合する第２プレートと、
前記矩形状スペースの長辺又は短辺に沿って、前記第１プレートに設けられた一対の溝部と、
前記一対の溝部に対向する位置で前記第２プレートに設けられた一対の突起部と、を備え、
前記一対の溝部と前記一対の突起部とを係合させて密閉し、前記第２プレートを前記第１プレートに対して密閉位置から前記長辺又は短辺に沿って所定長だけスライドさせることにより前記カード類の着脱を可能とし、
前記電波吸収体は、前記カード類と同一又は前記カード類よりも大きい面積を有する薄膜状の磁性体であって、前記カード類に記録された情報の読取りのために磁界が印加されたとき、携帯端末から発生する渦電流による反磁界を抑制できることを特徴とする携帯電話機用背面カバー。
【請求項２】
請求項１に記載の携帯電話機用背面カバーにおいて、
前記第一対の溝部と前記一対の突起部とは前記密閉位置及び前記所定長だけスライドした位置でロックされることを特徴とする携帯電話機用背面カバー。
【請求項３】
請求項１に記載の携帯電話機用背面カバーにおいて、
前記第一対の溝部と前記一対の突起部とは前記密閉位置でロックされることを特徴とする携帯電話機用背面カバー。
【手続補正２】
【補正対象書類名】明細書
【補正対象項目名】００２８
【補正方法】変更
【補正の内容】
【００２８】
第１プレートに設けられた溝部５０は、凹み部分５０ａと貫通する部分５０ｂとで構成される。この溝部５０には第２プレート３０に設けられた突起部６０が係合される。第２プレート３０に設けられた突起部６０は、５０ａに係合される突起部分６０ａと、６０ａよりも突出し、５０ｂに第１プレート２０を貫通するように係合される６０ｂとで構成される。
また、本発明のカバーを左右にスライドして使用する際に突起部６０が、第２プレート３０を密閉位置及び所定長だけスライドした位置でロックされるよう、三角形状の引き止め部５２および、引き止め形状６２が設けられている。
【手続補正書】
【提出日】平成27年1月7日(2015.1.7)
【手続補正１】
【補正対象書類名】特許請求の範囲
【補正対象項目名】全文
【補正方法】変更
【補正の内容】
【特許請求の範囲】
【請求項１】
裏面が携帯電話機の背面を覆うよう装着され、表面に非接触ＩＣカードを収納可能な矩形状スペースを設けた第１プレートと、
前記矩形状スペースに、第１プレートと前記非接触ＩＣカードとの間に装着される電波吸収体と、
前記第１プレートに対向するよう係合する第２プレートと、
前記矩形状スペースの短辺に沿い、且つ前記矩形状スペースを間に挟んで前記第１プレートの前記表面に設けられた一対の溝部と、
前記一対の溝部に対向する位置で前記第２プレートに設けられた一対の突起部と、を備え、
前記一対の溝部と前記一対の突起部とを係合させて密閉し、前記第２プレートを前記第１プレートに対して密閉位置から前記短辺に沿って所定長だけスライドさせることにより前記非接触ＩＣカードの着脱を可能とし、
前記電波吸収体は、前記非接触ＩＣカードと同一又は前記非接触ＩＣカードよりも大きい面積を有する薄膜状の磁性体であって、前記非接触ＩＣカードに記録された情報の読取りのために磁界が印加されたとき、携帯端末から発生する渦電流による反磁界を抑制でき、
前記第２プレートの各辺は、前記密閉位置にて、前記第１のプレートの各辺の内側に位置することを特徴とする携帯電話機用背面カバー。
【請求項２】
請求項１に記載の携帯電話機用背面カバーにおいて、
前記第一対の溝部と前記一対の突起部とは前記密閉位置及び前記所定長だけスライドした位置でロックされることを特徴とする携帯電話機用背面カバー。
【請求項３】
請求項１に記載の携帯電話機用背面カバーにおいて、
前記第一対の溝部と前記一対の突起部とは前記密閉位置でロックされることを特徴とする携帯電話機用背面カバー。
【請求項４】
請求項１から３のいずれかに記載の携帯電話機用背面カバーにおいて、
前記矩形状スペースの長辺側の端部は、非接触ＩＣカード取り出し用の傾斜を有することを特徴とする携帯電話機用背面カバー。
【手続補正２】
【補正対象書類名】明細書
【補正対象項目名】００３５
【補正方法】変更
【補正の内容】
【００３５】
〔第１の参考例〕
第１の参考例として、携帯電話本体に嵌合させるタイプのカバーではなく、携帯電話本体に貼着させるタイプであって、携帯電話本体の側面、上面、底面を覆うことなく平板状のカバーとすることもできる。本参考例では、装着された状態において、カバーと携帯電話とが隙間なく密着して装着されているため、カバーが浮き出た印象はなく一体性が感じられる。このタイプのカバーは第１の実施形態と比べ、携帯電話の側面、上面、底面を覆わないため、携帯電話本体とカバーとをより一体的に印象付けることができる。
【手続補正３】
【補正対象書類名】明細書
【補正対象項目名】００３６
【補正方法】変更
【補正の内容】
【００３６】
〔第２の参考例〕
第２の参考例として、第１の実施形態である図３の左右にスライドさせてカード類を着脱する方法に対し、溝部５０と突起部６０を矩形状スペース７０の長辺に対して並行となるように設け、第２プレートを上下にスライドさせてカード類を収納する構成を備えるカバーとすることもできる。利用者の要望によって上下にスライドさせる方法が望まれる場合や、携帯電話本体の形状に合わせて、溝部５０と突起部６０は適宜調整されうる。